(57)【要約】【課題】丈夫で見栄えが良いスライド回転ヒンジを実現する。【解決手段】第１の筐体（１）と第２の筐体（２）とを重ねて閉じた状態から相対的にスライドさせて開放状態となるよう一方の筐体（２）に設けられたレール９１と、他方の筐体（１）に回転可能に設けられ、レール９１に対し相対的にスライド自在に係合する回転部材６と、この回転部材６と一方の筐体（２）とにスライド動作及び回転動作に応じて弾性力が与えられるよう設けられたバネ７と、を備える。具体的には、回転部材６に、レール９１と平行する溝６２が形成されて、他方の筐体（１）に、溝６２と交差する溝５２が形成され、両方の溝５２・６２に係合する軸５８・６８にバネ７の一端が接続される。【選択図】図２
2011004233.tif 000002
【特許請求の範囲】
【請求項１】
第１の筐体と第２の筐体とを重ねて閉じた状態から相対的にスライドさせて開放状態となるよう一方の筐体に設けられたレールと、
他方の筐体に回転可能に設けられ、前記レールに対し相対的にスライド自在に係合する回転部材と、
この回転部材と前記一方の筐体とに前記スライド動作及び回転動作に応じて弾性力が与えられるよう設けられたバネと、を備えることを特徴とするスライド回転ヒンジ。
【請求項２】
前記回転部材は、前記他方の筐体に対し互いに係合する複数の軸及び溝を介して回転可能に組み付けられることを特徴とする請求項１に記載のスライド回転ヒンジ。
【請求項３】
前記回転部材に、前記レールと平行する溝が形成されて、
前記他方の筐体に、前記溝と交差する溝が形成され、
両方の溝に係合する軸に前記バネの一端が接続されることを特徴とする請求項２に記載のスライド回転ヒンジ。
【請求項４】
前記バネはねじりバネであることを特徴とする請求項１から３のいずれか一項に記載のスライド回転ヒンジ。
【請求項５】
前記閉じた状態において、前記レールの前記回転動作を規制する回転規制部を備えることを特徴とする請求項１から４のいずれか一項に記載のスライド回転ヒンジ。
【請求項６】
前記開放した状態において、前記レールの前記回転動作を許容する回転許容部を備えることを特徴とする請求項１から５のいずれか一項に記載のスライド回転ヒンジ。
【請求項７】
前記開放した状態、及び前記レールの前記回転動作時において、前記一方の筐体に対する前記バネの接続部を、前記回転部材の内側位置に規制するストッパーを備えることを特徴とする請求項１から６のいずれか一項に記載のスライド回転ヒンジ。
【請求項８】
前記回転部材に、前記レール間の隙間を塞ぐ壁部を備えることを特徴とする請求項１から７のいずれか一項に記載のスライド回転ヒンジ。
【請求項９】
前記ストッパーと一体に、筐体を回転した状態において、前記レール間の隙間を塞ぐ壁部を備えることを特徴とする請求項７または８に記載のスライド回転ヒンジ。
【請求項１０】
前記軸は中空部材により形成され、その中空部内に配線が通されることを特徴とする請求項３から９のいずれか一項に記載のスライド回転ヒンジ。
【請求項１１】
前記回転部材に、配線を通す配線通し部を形成したことを特徴とする請求項１から９のいずれか一項に記載のスライド回転ヒンジ。
【請求項１２】
請求項１から１１のいずれか一項に記載のスライド回転ヒンジを備えることを特徴とする携帯機器。
【発明の詳細な説明】
【技術分野】
【０００１】
本発明は、二つの筐体をスライド自在で且つ回転可能に組み付けるスライド回転ヒンジと、そのスライド回転ヒンジを備える携帯機器に関する。
【背景技術】
【０００２】
スライド式携帯端末において、二つの筐体をスライド自在で且つ回転可能とするスライド回転部を備えたものが特許文献１に開示されている。すなわち、特許文献１のスライド回転部は、表面に上下方向に長い縦長の液晶ディスプレイを有する第１の筐体と、表面に操作部を有する第２の筐体と、第１の筐体を第２の筐体にスライド自在に支持する支持機構とを設けたスライド式携帯端末において、支持機構の第２の筐体側に第１及び第２ガイド軸を設け、第１の筐体側に、第１ガイド軸をガイドする第１ガイド孔と、第２ガイド軸をガイドする第２ガイド孔とを設けることで、第１の筐体を第２の筐体に対して表面から見て時計回りに回転自在に支持するものである。 
【先行技術文献】
【特許文献】
【０００３】
【特許文献１】特開２００８−１９３５１９号公報
【発明の概要】
【発明が解決しようとする課題】
【０００４】
しかし、特許文献１のスライド回転部は、第２の筐体側に設けた第１ガイド軸と第２ガイド軸を、第１の筐体側に設けた第１ガイド孔と第２ガイド孔に挿入してそれぞれガイドする構造であり、第１の筐体と第２の筐体とのガタ付きが多くて強度的にも弱く、また、ガイド孔が外部に見えてしまい見栄えが悪いものであった。
【０００５】
本発明の課題は、丈夫で見栄えが良いスライド回転ヒンジを実現することである。
【課題を解決するための手段】
【０００６】
以上の課題を解決するため、請求項１に記載の発明は、第１の筐体と第２の筐体とを重ねて閉じた状態から相対的にスライドさせて開放状態となるよう一方の筐体に設けられたレールと、他方の筐体に回転可能に設けられ、前記レールに対し相対的にスライド自在に係合する回転部材と、この回転部材と前記一方の筐体とに前記スライド動作及び回転動作に応じて弾性力が与えられるよう設けられたバネと、を備えるスライド回転ヒンジを特徴とする。
【０００７】
請求項２に記載の発明は、請求項１に記載のスライド回転ヒンジであって、前記回転部材は、前記他方の筐体に対し互いに係合する複数の軸及び溝を介して回転可能に組み付けられることを特徴とする。
【０００８】
請求項３に記載の発明は、請求項２に記載のスライド回転ヒンジであって、前記回転部材に、前記レールと平行する溝が形成されて、前記他方の筐体に、前記溝と交差する溝が形成され、両方の溝に係合する軸に前記バネの一端が接続されることを特徴とする。
【０００９】
請求項４に記載の発明は、請求項１から３のいずれか一項に記載のスライド回転ヒンジであって、前記バネはねじりバネであることを特徴とする。
【００１０】
請求項５に記載の発明は、請求項１から４のいずれか一項に記載のスライド回転ヒンジであって、前記閉じた状態において、前記レールの前記回転動作を規制する回転規制部を備えることを特徴とする。
【００１１】
請求項６に記載の発明は、請求項１から５のいずれか一項に記載のスライド回転ヒンジであって、前記開放した状態において、前記レールの前記回転動作を許容する回転許容部を備えることを特徴とする。
【００１２】
請求項７に記載の発明は、請求項１から６のいずれか一項に記載のスライド回転ヒンジであって、前記開放した状態、及び前記レールの前記回転動作時において、前記一方の筐体に対する前記バネの接続部を、前記回転部材の内側位置に規制するストッパーを備えることを特徴とする。
【００１３】
請求項８に記載の発明は、請求項１から７のいずれか一項に記載のスライド回転ヒンジであって、前記回転部材に、前記レール間の隙間を塞ぐ壁部を備えることを特徴とする。
【００１４】
請求項９に記載の発明は、請求項７または８に記載のスライド回転ヒンジであって、前記ストッパーと一体に、筐体を回転した状態において、前記レール間の隙間を塞ぐ壁部を備えることを特徴とする。
【００１５】
請求項１０に記載の発明は、請求項３から９のいずれか一項に記載のスライド回転ヒンジであって、前記軸は中空部材により形成され、その中空部内に配線が通されることを特徴とする。
【００１６】
請求項１１に記載の発明は、請求項１から９のいずれか一項に記載のスライド回転ヒンジであって、前記回転部材に、配線を通す配線通し部を形成したことを特徴とする。
【００１７】
請求項１２に記載の発明は、請求項１から１１のいずれか一項に記載のスライド回転ヒンジを備える携帯機器を特徴とする。
【発明の効果】
【００１８】
本発明によれば、丈夫で見栄えが良いスライド回転ヒンジを提供できる。
【図面の簡単な説明】
【００１９】
【図１】本発明を適用した携帯機器の一実施形態の構成を示す斜視図で、スライドクローズ状態を示した図（ａ）とスライドオープン状態を示した図（ｂ）と回転した状態を示した図（ｃ）である。
【図２】実施形態のスライド回転ヒンジの構成を示した分解斜視図である。
【図３】図２の回転部材及び固定部材を組み付けた状態を示した図である。
【図４】図３のレール部材を反対側から見た図である。
【図５】実施形態のスライド回転ヒンジの正面図で、スライドクローズ状態を示した図（ａ）とスライド途中を示した図（ｂ）とスライドオープン状態を示した図（ｃ）である。
【図６】図５（ｃ）のスライドオープン状態から回転途中を示した図（ａ）と回転した状態を示した図（ｂ）である。
【図７】図５（ａ）の矢印Ａ部の拡大端面図である。
【図８】図５及び図６の回転部材及びバネの斜視図で、スライドオープン状態の図（ａ）と回転途中の図（ｂ）と回転した状態の図（ｃ）である。
【図９】図１（ｃ）の回転状態の背面図である。
【図１０】図９の回転状態の左右両側方から見た斜視図（ａ）（ｂ）である。
【図１１】配線の一例を示す正面図で、スライドクローズ状態を示した図（ａ）とスライドオープン状態を示した図（ｂ）と回転した状態を示した図（ｃ）である。
【図１２】図１（ａ）のスライドクローズ状態の正面図である。
【図１３】図１２の矢印Ａ−Ａ線に沿った断面図である。
【図１４】図１２の矢印Ｂ−Ｂ線に沿った断面図である。
【図１５】配線の他の例を示すもので、図３と同様の分解斜視図である。
【図１６】図１５の配線を反対側から見た拡大図である。
【図１７】図１（ａ）のスライドクローズ状態の正面図で、配線も併せて示した図である。
【図１８】図１７の矢印Ｃ−Ｃ線に沿った断面図である。
【図１９】回転部材を備える筐体側の配線を示した斜視図で、スライドクローズ状態の図である。
【図２０】レール部材の斜視図で、スライドクローズ状態の図（ａ）とその反対側から見た図（ｂ）である。
【図２１】図１９のスライドクローズ状態からスライドオープン状態を示した図である。
【図２２】図２０のスライドクローズ状態からスライドクローズ状態を示した図（ａ）とその反対側から見た図（ｂ）である。
【図２３】図２１のスライドオープン状態から回転した状態の図である。
【図２４】図２２のスライドオープン状態から回転した状態の図（ａ）とその反対側から見た図（ｂ）である。
【発明を実施するための形態】
【００２０】
以下、図を参照して本発明を実施するための形態を詳細に説明する。
図１は本発明を適用した携帯機器の一実施形態の構成として携帯電話を示したもので、図１（ａ）はスライドクローズ状態、図１（ｂ）はスライドオープン状態、図１（ｃ）は回転した状態を示しており、図中、１は第１の筐体、２は第２の筐体、３は操作部、４は表示部である。
【００２１】
携帯電話は、第１の筐体１に対し第２の筐体２が、図１（ａ）の重ねて閉じた状態から縦方向にスライド自在に組み付けられるとともに、図１（ｂ）の縦方向へのスライド状態で図１（ｃ）のように回転可能に組み付けられている。なお、第１の筐体１の上面に操作部３が設けられて、第２の筐体２の上面に表示部４が設けられている。
【００２２】
図２及び図３は第１の筐体１と第２の筐体２との間に設けられるスライド回転ヒンジの構成を示したもので、５は固定部材、６は回転部材、７はねじりバネ、８はストッパー、９はレール部材である。
【００２３】
固定部材５は、第１の筐体１の上面で操作部３に対し上側に固定される略正方形の板金で、その中央に円形穴５１が形成されて、この円形穴５１から離間して右下隅部と左上隅部に向かって各々延びる直線状の溝部５２・５３が形成されている。
【００２４】
回転部材６は、固定部材５に回転軸を介して回転自在に組み付けられる略正方形の板金で、その中央に円形穴６１が形成されて、左右辺部の内側に各々沿った直線状の溝部６２・６３が形成されている。
【００２５】
さらに、回転部材６には、上辺部に沿って起立する壁部６４が形成されて、左右辺部に各々沿った直線状のガイド部６５が形成されている。この左右一対のガイド部６５は、断面コ字状でその開放側が相対向していて、このガイド部６５の内部にはＰＯＭ(ポリアセタール)による摺動部材６６が嵌め込まれている。この摺動部材６６の摺動溝に、レール部材９のレール９１がそれぞれ係合している。
【００２６】
以上の回転部材６は、その中央の円形穴６１に上方から嵌め込んで固定部材５の円形穴５１に嵌め込まれるリング６７と、下方のリング５７とを互いに嵌め合わせて結合されている。この上下のリング５７・６７により回転軸が構成される。そして、回転部材６の右側の溝部６２に上方から係合するとともに固定部材５の右側の溝部５２に係合するリング６８と、下方のリング５８とを互いに嵌め合わせる。これら上下のリング５８・６８により溝部５２・６２に係合する軸が形成される。
【００２７】
ねじりバネ７は、その一端部が、回転部材６の右側の溝部６２のリング６８と、このリング６８上に嵌め合わせて結合される、固定具を兼ねたリング７１との間で挟み付けて接続されて、他端部が、レール部材９に固定具７２で接続される。なお、嵌め合わせて一体化された３個のリング５８・６８・７１の中空部により配線通し穴が形成される。
【００２８】
ストッパー８は、略正方形で、その左辺部に沿って下方へ延びる棒状部８１が形成されて、右辺部及び上辺部に各々沿った壁部８２・８３が形成されている。このストッパー８には、固定部材５の左側の溝部５３に下方から係合する軸部を一体に有する固定具８５が、回転部材６の左側の溝部６３に係合する不図示のネジで組み付けられている。これら固定具８５及びネジにより溝部５３・６３に係合する軸が形成される。
【００２９】
レール部材９は、第２の筐体２の下面に固定される略長方形の板金で、その左右辺部に沿ってレール９１が形成されている。このレール９１は、レール部材９の下面から一段低い段差による壁部を介して形成されている。そして、レール部材９は、回転部材６の一対のガイド部６５によって保持されるため、強度があって、ガタが少ない。
【００３０】
以上のレール部材９の図示左側で若干下寄りにねじりバネ７の前記他端部が固定具７２で接続されている。なお、レール部材９の中間部で固定部７２の図示右側には配線通し穴９６が形成されている。
【００３１】
図４はレール部材９を反対側から見たもので、図示のように、レール部材９の一端部側には、一方のレール９１の近傍に沿って平行する出っ張り部９３が形成されている。この出っ張り部９３は、スライドクローズ状態において、ストッパー８の棒状部８１に側方から当接して、レール部材９の回転を規制する。
【００３２】
次に、図５はスライド回転ヒンジの動作を正面から見たものである。
先ず、スライドクローズ状態において、第２の筐体２の下面に固定されたレール部材９は、図５（ａ）に示すように、その左右一対のレール９１の図示上端側が、第１の筐体１の上面に固定された固定部材５上に組み付けられた回転部材６の左右辺部に沿った直線状のガイド部６５に係合している。
【００３３】
以上のスライドクローズ状態においては、図７にも示すように、第２の筐体２に固定のレール部材９の図示左側のレール９１の内壁と出っ張り部９３との間には、第１の筐体１に固定の固定部材５の左側の溝部５３に係合し、且つ回転部材６の左側の溝部６３に係合するストッパー８の棒状部８１が位置して、この棒状部８１が出っ張り部９３に当接する。なお、出っ張り部９３は、棒状部８１と壁部８３との隙間を通る。
【００３４】
このように、棒状部８１が出っ張り部９３に当接することで、レール部材９、すなわち、第２の筐体２は回転動作ができない。従って、ストッパー８の棒状部８１と出っ張り部９３が回転規制部として機能する。
【００３５】
また、このとき、ねじりバネ７は、固定具７２を介してレール部材９に対し、矢印で示したように、図示下方に押し付けるように弾性力を発生させている。従って、スライドクローズ状態が保持される。
【００３６】
そして、第１の筐体１と第２の筐体２を相対的にスライド操作すると、レール部材９に対するねじりバネ７の固定具７２がスライドし、そのスライド途中において、図５（ｂ）に矢印で示したように、ねじりバネ７の弾性力の方向も変化し、一定のスライド量を超えると、スライドオープンのアシスト力となる。
【００３７】
さらに、スライドオープン状態では、図５（ｃ）及び図８（ａ）に示すように、回転部材６のガイド部６５に対しレール部材９のレール９１の図示下端側が係合してスライドしきった位置に達する。
【００３８】
このとき、レール部材９の出っ張り部９３からストッパー８の棒状部８１が外れて回転動作を抑制する接触がなくなるので、レール部材９は、回転部材６と一体に回転軸を構成するリング６７（５７）を中心に回転動作が可能になる。従って、ストッパー８が回転許容部としても機能する。
【００３９】
また、レール部材９に対するねじりバネ７の固定具７２は、ストッパー８の棒状部８１により図示左側を囲まれ、ストッパー８の壁部８２・８３により図示右側及び上側を囲まれているので、図示下方にスライドするしかできない。
【００４０】
次に、図６及び図８は回転動作を示したものである。
図６（ａ）及び図８（ｂ）は図５（ｃ）のスライドオープン状態から回転途中を示したもので、第１の筐体１に対し第２の筐体２を回転操作する際は、リング６７を中心にレール部材９が回転する。
【００４１】
レール部材９がリング６７を中心に回転すると、ねじりバネ７の一方の端部を固定するリング７１が、回転部材６の縦の溝部６２と固定部材５の斜めの溝部５２に沿って回転中心のリング６７に一旦近付くように移動すると同時に、ねじりバネ７の他方の端部の固定具７２を囲むストッパー８が、回転部材６の縦の溝部６３と固定部材５の斜めの溝部５３に沿って回転中心のリング６７に一旦近付くように移動する。
【００４２】
このとき、ねじりバネ７の固定具７２を囲むストッパー８は回転しないので、そのストッパー８の棒状部８１及び壁部８２・８３が、ねじりバネ７の固定具７２のスライド方向に立ちふさがるようになる。すなわち、ねじりバネ７の固定具７２はスライドの両方向をストッパー８で囲まれた状態なので、ストッパー８に付随して動く。
【００４３】
また、回転途中でねじりバネ７が圧縮されて、ねじりバネ７は元に戻ろうと外方向に力を発生させるので、レール部材９が押されて、それが回転アシスト力になる。
【００４４】
そして、図６（ｂ）及び図８（ｃ）は回転した状態を示したもので、レール部材９１が９０度回転したときに、ねじりバネ７の一方のリング７１が、回転部材６の横になる溝部６２に沿って固定部材５の斜めの溝部５２の端部の元の位置に戻ると同時に、ねじりバネ７の他方の固定具７２を囲むストッパー８が、回転部材６の横になる溝部６３に沿って固定部材５の斜めの溝部５３の端部の元の位置に戻る。
【００４５】
このとき、ねじりバネ７の固定具７２はストッパー８で囲まれてスライドが規制される。また、左右は、回転部材６の壁部６４とストッパー８の棒状部８１があるため、レール部材９のレール９１間の隙間が塞がれる。
【００４６】
このような動作を行うスライド回転ヒンジによって、携帯電話は、図１（ａ）に示したスライドクローズ状態から、図１（ｂ）に示したスライドオープン状態を経て、図１（ｃ）に示した９０度回転した状態で止めて使用することができる。
【００４７】
なお、図９は回転した状態を背面から見たもので、第２の筐体２の背面には、第１の筐体１の左右にレール部材９が見えるだけで、従来のようなガイド孔等が露出しないため、見栄えが良い。
【００４８】
また、図１０（ａ）及び（ｂ）は回転した状態で背面を左右両側方から見たもので、第２の筐体２の背面のレール部材９と第１の筐体１との左右両側間には、回転部材６の壁部６４と、ストッパー８の棒状部８１が壁状に位置していて、内部構造が露出しないため、この点でも見栄えが良い。
【００４９】
次に、図１１は固定部材５及び回転部材６を備える第１の筐体１側の配線１０の一例を示すもので、図１１（ａ）はレール９１とともにスライドクローズ状態、図１１（ｂ）は同じくスライドオープン状態、図１１（ｃ）は同じく回転した状態を示している。
【００５０】
図示のように、第１の筐体１の上面に固定された固定部材５の斜めの溝部５２に係合するリング５８内、その上の回転部材６の溝部６２に係合するリング６８内、その上のバネ固定用のリング７１内の配線通し穴から、同軸線による配線１０が外部に導出されている。なお、この配線１０は、スライドクローズ状態と回転した状態において、ねじりバネ７より外側に配置されている。
【００５１】
そして、図１２から図１４は第１の筐体１及び第２の筐体２も含めて配線１０を示したもので、図示のように、前記配線１０は、第２の筐体２の背面に固定されたレール部材９の配線通し穴９６から外部に導出されている。
【００５２】
このように、図１１（ａ）に示したスライドクローズ状態から、図１１（ｂ）に示したスライドオープン状態、及び図１１（ｃ）に示した回転した状態まで配線１０を良好に取り廻しすることができる。
【００５３】
以上、実施形態のスライド回転式携帯電話によれば、そのスライド回転ヒンジとして、第２の筐体２に設けたレール９１に対し相対的にスライド自在に係合する回転部材６を第１の筐体１に対し回転可能に設けて、その回転部材６と第２の筐体２とにスライド動作及び回転動作に応じてアシスト力を発生するねじりバネ７を設けたので、丈夫で見栄えが良いスライド回転ヒンジを提供できる。
【００５４】
しかも、スライドアシストと回転アシストの両方を行うねじりバネ７が１本だけなので、スライド回転ヒンジを薄く構成できる。
【００５５】
そして、固定部材５に対し回転部材６を、中央のリング５７・６７による回転軸と、溝５２・６２に係合するリング５８・６８による軸と、溝５３・６３に係合するストッパー８の軸部とによる一直線上に位置する三点支持構造としたことにより、回転前及び回転後の第２の筐体２の保持がしっかりできる。
【００５６】
また、回転部材６の一対のガイド部６５でレール部材９を保持しているので、スライド式でありながら第２の筐体２の良好な回転動作を実現できて、回転前及び回転後の第２の筐体２の保持がしっかりできる。
【００５７】
しかも、回転部材６には、レール９１を係合保持する一対のガイド部６５及びその間の一端側に壁部６４が形成されて、ストッパー８にガイド部６５間の他端側に位置する壁状の棒状部８１が形成されているので、四方を壁で囲む形になり、内部構造が露出しなくて見栄えが良い。
【００５８】
次に、図１５は配線の他の例を示すもので、図示のように、回転部材６の中央のリング６７より下側に形成したスリット６９からＦＰＣ（フレキシブルプリント基板）による配線２０が導出されている。このＦＰＣによる配線２０の端部には、図１６に示すように、基板２１を介して同軸線による配線２２が接続されている。
【００５９】
そして、図１７及び図１８は第１の筐体１及び第２の筐体２も含めて配線２０・２２を示したもので、図示のように、ＦＰＣによる配線２０は、レール部材９の配線通し穴９６から第２の筐体２内に導入されて、回転基板６の裏面側（第１の筐体１側）に取り付けられる基板２１から延びる同軸線による配線２２は、第１の筐体１内に導入される。
【００６０】
以上のＦＰＣによる配線２０及び同軸線による配線２２は、図１９及び図２０に示したスライドクローズ状態から、図２１及び図２２に示したスライドオープン状態まで、ＦＰＣによる配線２０がスライド動作に追従して折り畳まれる。このとき、同軸線による配線２２に動きはない。
【００６１】
そして、図２３及び図２４に示した回転した状態までは、回転する回転部材６に取り付けられた基板２１も一緒に回転し、同軸線による配線２２も基板２１の回転に追従する。この回転と同時にスライドもするので、ＦＰＣによる配線２０もその動きに追従して変化する。
【００６２】
以上、スライドクローズ状態からスライドオープン状態、及び回転した状態まで良好に取り廻しすることができる。
【００６３】
ところで、この例の場合、図２０（ａ）、図２２（ａ）及び図２２（ａ）に示したように、固定部材５には、回転部材６の９０度回転に対応して基板２１及び同軸線による配線２２の動きを許容するための切り欠き部５９が形成されている。
【００６４】
（変形例）
なお、以上の実施形態においては、携帯電話としたが、本発明はこれに限定されるものではなく、ＰＤＡ、ノートパソコン、ウェアラブルパソコン、電卓、電子辞書などで、スライド回転部を備えた機器全てに用いることができる。
また、実施形態ではねじりバネを用いたが、コイルバネを用いてもよい。
さらに、回転部材の形状等も任意であり、その他、具体的な細部構造等についても適宜に変更可能であることは勿論である。
【符号の説明】
【００６５】
１  第１の筐体
２  第２の筐体
３  操作部
４  表示部
５  固定部材
５２  溝部
５３  溝部
５７  リング（回転軸）
５８  リング（軸、配線通し部）
５９  切り欠き部
６  回転部材
６２  溝部
６３  溝部
６４  壁部
６５  ガイド部
６６  摺動部材
６７  リング（回転軸）
６８  リング（軸、配線通し部）
６９  スリット（配線通し部）
７  ねじりバネ
７１  リング（固定具、配線通し部）
７２  固定具
８  ストッパー
８１  棒状部（壁部）
８２  壁部
８３  壁部
８５  固定具
９  レール部材
９１  レール
９６  配線通し部
１０  配線
２０  配線
２１  基板
２２  配線
【図１】
2011004233.tif 000003
【図２】
2011004233.tif 000004
【図３】
2011004233.tif 000005
【図４】
2011004233.tif 000006
【図５】
2011004233.tif 000007
【図６】
2011004233.tif 000008
【図７】
2011004233.tif 000009
【図８】
2011004233.tif 000010
【図９】
2011004233.tif 000011
【図１０】
2011004233.tif 000012
【図１１】
2011004233.tif 000013
【図１２】
2011004233.tif 000014
【図１３】
2011004233.tif 000015
【図１４】
2011004233.tif 000016
【図１５】
2011004233.tif 000017
【図１６】
2011004233.tif 000018
【図１７】
2011004233.tif 000019
【図１８】
2011004233.tif 000020
【図１９】
2011004233.tif 000021
【図２０】
2011004233.tif 000022
【図２１】
2011004233.tif 000023
【図２２】
2011004233.tif 000024
【図２３】
2011004233.tif 000025
【図２４】
2011004233.tif 000026